(57)【要約】      （修正有）【課題】ベースユニットを組立完成後に分解せずにベースに対して略垂直方向に調整する。【解決手段】ディスクテーブルと、光ピックアップ装置とが配設されたベースユニットと、ベースユニットが取り付けられる開口部が形成され、テーブルに装着された光記録媒体と近接略平行となり、光記録媒体と対向するベースとなるディスクトレイ５とを備え、ベースユニットをディスクトレイ５に取り付ける際に、ベースユニットのディスクトレイ５に対する略垂直方向の傾きを調整する調整部材２４は、ディスクトレイ５の収納部１５に形成された各取付突起２０に挿通されるホルダ２１と、このホルダ２１とでベースシャーシ３０の契合片４４を挟んで結合される支持板２２とを有する。【選択図】図６
2008130131.tif 000002
【特許請求の範囲】
【請求項１】
光記録媒体が装着されたテーブルと、このテーブルに装着された上記光記録媒体に対して光ビームを照射して反射された戻り光を検出する光ピックアップとが配設されたベースユニットと、
上記ベースユニットが取り付けられる開口部が形成され、表面側が上記テーブルに装着された上記光記録媒体と近接略平行に上記光記録媒体と対向するベースと、
上記ベースユニットを上記ベースの開口部に取り付ける際に、上記ベースユニットの上記ベースに対する略垂直方向の傾きを調整する調整部材とを備え、
上記ベースユニットは、周縁部に複数の係合片を有し、
上記係合片に上記調整部材を係合させ、上記係合片に係合された上記調整部材に上記ベースに形成された取付突起を挿通させることによって、上記ベースの開口部に取り付けられ、
上記調整部材は、上記ベースユニットが上記ベースの開口部に取り付けられた後、上記取付突起を中心に所定量回転されることによって、上記ベースユニットの上記ベースに対する略垂直方向の傾きを調整する調整部を有することを特徴とする光記録媒体駆動装置。
【請求項２】
上記ベースは、ディスクトレイであることを特徴とする請求項１記載の光記録媒体駆動装置。
【請求項３】
上記取付突起には、外周面に、調整突起が形成され、
上記調整部材には、側面に、上記調整突起が係合されて上記ベースユニットの上記ベースに対する略垂直方向の傾きを調整し、上記取付突起の軸線に対して傾斜するように調整部となる調整溝が形成されていることを特徴とする請求項１記載の光記録媒体駆動装置。
【請求項４】
上記調整溝は、階段状であることを特徴とする請求項３記載の光記録媒体駆動装置。
【請求項５】
上記取付突起と上記調整部材には、何れか一方に突出部が形成され、他方にこの突出部に対して係合溝が形成されていることを特徴とする請求項１記載の光記録媒体駆動装置。
【請求項６】
上記ベースの裏面には、裏面カバーが取り付けられ、
上記調整部材には、上記調整部材全体を一体に回転させる操作孔が形成され、
上記裏面カバーには、上記操作孔を裏面カバーの外部に臨ませる調整孔が形成されていることを特徴とする請求項１記載の光記録媒体駆動装置。
【請求項７】
上記調整部材は、軸部の一端部にフランジ部が形成されてなるホルダと、上記ホルダの他端部に設けられる支持板とを有し、
上記軸部を上記係合片に係合し、上記係合片を挟んで上記ホルダと上記支持板とを結合して上記係合片に取り付けられることを特徴とする請求項１記載の光記録媒体駆動装置。
【請求項８】
上記ホルダの上記軸部の先端部には、係合爪が形成され、上記支持板には、上記係合爪と係合される係合凹部が形成され、
上記ホルダと上記支持板とは、上記軸部を上記係合片に係合し、上記係合片を挟んで上記係合爪を上記係合凹部に係合させることで一体化されていることを特徴とする請求項７記載の光記録媒体駆動装置。
【請求項９】
上記係合片には、インシュレータが係合され、このインシュレータの挿通孔に上記取付突起が挿通されていることを特徴とする請求項１記載の光記録媒体駆動装置。
【請求項１０】
上記ベースユニットは、上記ベースに少なくとも３点箇所以上で支持されることを特徴とする請求項１記載の光記録媒体駆動装置。
【請求項１１】
上記調整部材には、一方の端面に、上記調整部となる複数の調整突部が形成され、
上記取付突起には、上記調整突部と対向するフランジ部が形成され、このフランジ部には、上記調整突部と係合する上記取付突起の軸線を中心に異なる段差を有する複数の調整段差が形成されていることを特徴とする請求項１記載の光記録媒体駆動装置。
【請求項１２】
上記調整部材は、弾性部材によって取付突起方向に付勢されることにより調整突部と調整段差が当接されていることを特徴とする請求項１１記載の光記録媒体駆動装置。
【請求項１３】
光記録媒体が装着されたテーブルと、このテーブルに装着された上記光記録媒体に対して光ビームを照射して反射された戻り光を検出する光ピックアップとが配設されたベースユニットと、上記ベースユニットが取り付けられる開口部が形成され、表面側が上記テーブルに装着された上記光記録媒体と近接略平行に上記光記録媒体と対向するベースと、上記ベースユニットを上記ベースの開口部に取り付ける際に、上記ベースユニットの上記ベースに対する略垂直方向の傾きを調整する調整部材とを備え、上記ベースユニットは、周縁部に複数の係合片を有し、上記係合片に上記調整部材を係合させ、上記係合片に係合された上記調整部材に上記ベースに形成された取付突起を挿通させることによって、上記ベースの開口部に取り付けられ、上記調整部材は、上記ベースユニットが上記ベースの開口部に取り付けられた後、上記取付突起を中心に所定量回転されることによって、上記ベースユニットの上記ベースに対する略垂直方向の傾きを調整する調整部を有する光記録媒体駆動装置が搭載された電子機器。
【請求項１４】
ベースユニットのベースに対する略垂直方向の傾きを調整する調整方法において、
上記ベースユニットは、光記録媒体が装着されるテーブルと、このテーブルに装着された上記光記録媒体に対して光ビームを照射して反射された戻り光を検出する光ピックアップとが配設されており、
上記ベースは、表面側が上記テーブルに装着された上記光記録媒体と近接略平行に上記光記録媒体と対向し、上記ベースユニットが取り付けられる開口部が形成されており、
上記調整方法は、上記ベースユニットを上記ベースの開口部に取り付ける際に、上記ベースユニットの周縁部に複数形成された係合片に上記ベースユニットの上記ベースに対する略垂直方向の傾きを調整する上記調整部材を係合させ、上記係合片に係合された上記調整部材に上記ベースに形成された取付突起を挿通させることによって、上記ベースユニットが上記ベースの開口部に取り付けられ、
上記ベースユニットが上記ベースの開口部に取り付けられた後、上記係合片に係合された調整部材を上記取付突起を中心に所定量回転されることによって、調整部材に形成された調整部により、上記ベースユニットの上記ベースに対する略垂直方向の傾きを調整することを特徴とする調整方法。
【請求項１５】
光記録媒体が装着されるテーブルと、このテーブルに装着された光記録媒体に対して光ビームを照射して反射された戻り光を検出する光ピックアップとが配設されたベースユニットと、
表面側が上記テーブルに装着された上記光記録媒体と近接して上記光記録媒体と対向する対向部材と、
上記対向部材が支持され、上記ベースユニットが取り付けられる取付板と、
上記ベースユニットを上記取付板に取り付ける際に、上記ベースユニットの上記対向部材に対する略垂直方向の傾きを調整する調整部材とを備え、
上記ベースユニットは、周縁部に複数の係合片を有し、
上記係合片に上記調整部材を係合させ、上記係合片に係合された上記調整部材に上記取付板に形成された取付突起を挿通させることによって、上記取付板に取り付けられ、
上記調整部材は、上記ベースユニットが上記取付板に取り付けられた後、上記取付突起を中心に所定量回転されることによって、上記ベースユニットの上記対向部材に対する略垂直方向の傾きを調整する調整部を有することを特徴とする光記録媒体駆動装置。
【請求項１６】
上記対向部材は、ディスクトレイであり、
上記取付板は、このディスクトレイの裏面を覆う裏面カバーであることを特徴とする請求項１５記載の光記録媒体駆動装置。
【請求項１７】
上記取付板は、ボトムケースであることを特徴とする請求項１５記載の光記録媒体駆動装置。
【請求項１８】
光記録媒体が装着されるテーブルと、このテーブルに装着された光記録媒体に対して光ビームを照射して反射された戻り光を検出する光ピックアップとが配設されたベースユニットと、表面側が上記テーブルに装着された上記光記録媒体と近接して上記光記録媒体と対向する対向部材と、上記対向部材が支持され、上記ベースユニットが取り付けられる取付板と、上記ベースユニットを上記取付板に取り付ける際に、上記ベースユニットの上記対向部材に対する略垂直方向の傾きを調整する調整部材とを備え、上記ベースユニットは、周縁部に複数の係合片を有し、上記係合片に上記調整部材を係合させ、上記係合片に係合された上記調整部材に上記取付板に形成された取付突起を挿通させることによって、上記取付板に取り付けられ、上記調整部材は、上記ベースユニットが上記取付板に取り付けられた後、上記取付突起を中心に所定量回転されることによって、上記ベースユニットの上記対向部材に対する略垂直方向の傾きを調整する調整部を有する光記録媒体駆動装置が搭載された電子機器。
【請求項１９】
ベースユニットの対向部材に対する略垂直方向の傾きを調整する調整方法において、
上記ベースユニットは、光記録媒体が装着されるテーブルと、このテーブルに装着された上記光記録媒体に対して光ビームを照射して反射された戻り光を検出する光ピックアップとが配設されており、
上記対向部材は、表面側が上記テーブルに装着された上記光記録媒体と近接して上記光ディスクと対向しており、
上記取付板は、上記対向部材が支持され、上記ベースユニットが取り付けられており、
上記調整方法は、上記ベースユニットを上記取付板に取り付ける際に、上記ベースユニットの周縁部に複数形成された係合片に、上記ベースユニットの上記対向部材に対する略垂直方向の傾きを調整する上記調整部材を係合させ、上記係合片に係合された上記調整部材に上記取付板に形成された上記取付突起を挿通させることによって、上記ベースユニットが上記取付板に取り付けられ、
上記ベースユニットが上記取付板に取り付けられた後、上記係合片に係合された上記調整部材が上記取付突起を中心に所定量回転されることによって、上記調整部材に形成された調整部により、上記ベースユニットの上記対向部材に対する略垂直方向の傾きを調整することを特徴とする調整方法。
【発明の詳細な説明】
【技術分野】
【０００１】
本発明は、ディスクテーブルと光ピックアップとが配設されたベースユニットのベースに対する略垂直方向の傾きを調整する光記録媒体駆動装置に関する。
【背景技術】
【０００２】
ノート型やデスクトップ型のパーソナルコンピュータ、ディスクプレーヤ等の電子機器の分野では、高機能化が進む一方で、小型化、軽量化が図られている。更に、これら電子機器の小型化、軽量化に伴い、これら電子機器に搭載されるディスクドライブ装置にも、さらなる小型化、薄型化が求められるようになっている。
【０００３】
そこで、従来のディスクドライブ装置では、例えば、組立誤差等の許容度を小さくし、精度よく部品を製造し、精度よく部品を組み立てて、ディスクに対してディスクトレイや筐体との間のクリアランスを小さくすることで、小型化、薄型化を図ってきた。
【０００４】
しかしながら、このようにクリアランスが小さくなっていくと、部分要因によるディスクの傾きや製造バラツキ等により、ディスクがディスクトレイに摺ってしまうことがあり、ディスクとディスクトレイとの摺れの有無を確認する検査等が必要となるという問題があった。
【０００５】
そこで、特許文献１のディスクドライブ装置では、筐体の底面に対して略垂直方向に調整可能な調整ネジを用いて、ディスクが取り付けられるディスクテーブルと一体に形成されたベースシャーシと、ディスクトレイとの間のクリアランスを調整している。
【０００６】
しかしながら、特許文献１のディスクドライブ装置では、組立完成後にディスクがディスクトレイに摺るという検査結果がでた場合、分解して再調整しなくてはならず、手間がかかり、さらに一度分解してしまうと、検査結果の信頼性を確保することが難しく、調整が困難である。
【０００７】
【特許文献１】特開２００２−１０９８１９号公報
【発明の開示】
【発明が解決しようとする課題】
【０００８】
本発明では、このような従来の事情に鑑みて提案されたものであり、ベースユニットのベースに対する略垂直方向の傾きを調整することができる光記録媒体駆動装置を提供することを目的とする。
【０００９】
また、本発明では、ベースユニットの光記録媒体と対向する対向部材に対する略垂直方向の傾きを調整することができる光記録媒体駆動装置を提供することを目的とする。
【課題を解決するための手段】
【００１０】
上述した目的を達成するために本発明に係る光記録媒体駆動装置は、光記録媒体が装着されたテーブルと、このテーブルに装着された上記光記録媒体に対して光ビームを照射して反射された戻り光を検出する光ピックアップとが配設されたベースユニットと、上記ベースユニットが取り付けられる開口部が形成され、表面側が上記テーブルに装着された上記光記録媒体と近接略平行に上記光記録媒体と対向するベースと、上記ベースユニットを上記ベースの開口部に取り付ける際に、上記ベースユニットの上記ベースに対する略垂直方向の傾きを調整する調整部材とを備える。
【００１１】
そして、本発明に係る光記録媒体駆動装置は、上記ベースユニットが、周縁部に複数の係合片を有し、上記係合片に上記調整部材を係合させ、上記係合片に係合された上記調整部材に上記ベースに形成された取付突起を挿通させることによって、上記ベースの開口部に取り付けられ、上記調整部材が、上記ベースユニットが上記ベースの開口部に取り付けられた後、上記取付突起を中心に所定量回転されることによって、上記ベースユニットの上記ベースに対する略垂直方向の傾きを調整する調整部を有する。
【００１２】
また、本発明に係る電子機器は、光記録媒体が装着されたテーブルと、このテーブルに装着された上記光記録媒体に対して光ビームを照射して反射された戻り光を検出する光ピックアップとが配設されたベースユニットと、上記ベースユニットが取り付けられる開口部が形成され、表面側が上記テーブルに装着された上記光記録媒体と近接略平行に上記光記録媒体と対向するベースと、上記ベースユニットを上記ベースの開口部に取り付ける際に、上記ベースユニットの上記ベースに対する略垂直方向の傾きを調整する調整部材とを備え、上記ベースユニットは、周縁部に複数の係合片を有し、上記係合片に上記調整部材を係合させ、上記係合片に係合された上記調整部材に上記ベースに形成された取付突起を挿通させることによって、上記ベースの開口部に取り付けられ、上記調整部材は、上記ベースユニットが上記ベースの開口部に取り付けられた後、上記取付突起を中心に所定量回転されることによって、上記ベースユニットの上記ベースに対する略垂直方向の傾きを調整する調整部を有する光記録媒体駆動装置が搭載される。
【００１３】
また、本発明に係る調整方法は、上記ベースユニットが、光記録媒体が装着されるテーブルと、このテーブルに装着された上記光記録媒体に対して光ビームを照射して反射された戻り光を検出する光ピックアップとが配設されており、上記ベースが、表面側が上記テーブルに装着された上記光記録媒体と近接略平行に上記光記録媒体と対向し、上記ベースユニットが取り付けられる開口部が形成されており、上記ベースユニットを上記ベースの開口部に取り付ける際に、上記ベースユニットの周縁部に複数形成された係合片に上記ベースユニットの上記ベースに対する略垂直方向の傾きを調整する上記調整部材を係合させ、上記係合片に係合された上記調整部材に上記ベースに形成された取付突起を挿通させることによって、上記ベースユニットが上記ベースの開口部に取り付けられ、上記ベースユニットが上記ベースの開口部に取り付けられた後、上記係合片に係合された調整部材を上記取付突起を中心に所定量回転されることによって、調整部材に形成された調整部により、上記ベースユニットの上記ベースに対する略垂直方向の傾きを調整する。
【００１４】
また、本発明に係る光記録媒体駆動装置は、光記録媒体が装着されるテーブルと、このテーブルに装着された上記光記録媒体に対して光ビームを照射して反射された戻り光を検出する光ピックアップとが配設されたベースユニットと、上記ベースユニットを外部に臨ませる開口部が形成され、表面側が上記テーブルに装着された上記光記録媒体と近接略平行に上記光記録媒体と対向するベースと、上記ベースの裏面を覆い、上記ベースユニットが取り付けられる裏面カバーと、上記ベースユニットを上記ベースの開口部から臨ませて裏面カバーに取り付ける際に、上記ベースユニットの上記ベースに対する略垂直方向の傾きを調整する調整部材とを備える。
【００１５】
そして、本発明に係る光記録媒体駆動装置は、上記ベースユニットが、周縁部に複数の係合片を有し、上記係合片に上記調整部材を係合させ、上記係合片に係合された上記調整部材に上記裏面カバーに形成された取付突起を挿通させることによって、上記裏面カバーに取り付けられ、上記調整部材が、上記ベースユニットが上記ベースの開口部から臨まされて上記裏面カバーに取り付けられた後、上記取付突起を中心に所定量回転されることによって、上記ベースユニットの上記ベースに対する略垂直方向の傾きを調整する調整部を有する。
【００１６】
また、本発明に係る電子機器は、光記録媒体が装着されるテーブルと、このテーブルに装着された光記録媒体に対して光ビームを照射して反射された戻り光を検出する光ピックアップとが配設されたベースユニットと、表面側が上記テーブルに装着された上記光記録媒体と近接して上記光記録媒体と対向する対向部材と、上記対向部材が支持され、上記ベースユニットが取り付けられる取付板と、上記ベースユニットを上記取付板に取り付ける際に、上記ベースユニットの上記対向部材に対する略垂直方向の傾きを調整する調整部材とを備え、上記ベースユニットは、周縁部に複数の係合片を有し、上記係合片に上記調整部材を係合させ、上記係合片に係合された上記調整部材に上記取付板に形成された取付突起を挿通させることによって、上記取付板に取り付けられ、上記調整部材は、上記ベースユニットが上記取付板に取り付けられた後、上記取付突起を中心に所定量回転されることによって、上記ベースユニットの上記対向部材に対する略垂直方向の傾きを調整する調整部を有する光記録媒体駆動装置が搭載される。
【００１７】
また、本発明に係る調整方法は、上記ベースユニットが、光記録媒体が装着されるテーブルと、このテーブルに装着された上記光記録媒体に対して光ビームを照射して反射された戻り光を検出する光ピックアップとが配設されており、上記ベースが、表面側が上記テーブルに装着された上記光記録媒体と近接略平行に上記光記録媒体と対向し、上記ベースユニットを外部に臨ませる開口部が形成されており、上記裏面カバーが、上記ベースの裏面を覆い、上記ベースユニットが取り付けられており、上記ベースユニットを上記ベースの開口部から臨ませて裏面カバーに取り付ける際に、上記ベースユニットの周縁部に複数形成された係合片に、上記ベースユニットの上記ベースに対する略垂直方向の傾きを調整する上記調整部材を係合させ、上記係合片に係合された上記調整部材に上記裏面カバーに形成された上記取付突起を挿通させることによって、上記ベースユニットが上記裏面カバーに取り付けられ、上記ベースユニットが上記ベースの開口部から臨まされて上記裏面カバーに取り付けられた後、上記係合片に係合された上記調整部材が上記取付突起を中心に所定量回転されることによって、調整部材に形成された調整部により、上記ベースユニットの上記ベースに対する略垂直方向の傾きを調整する。
【発明の効果】
【００１８】
本発明によれば、周縁部に複数形成された係合片に調整部材が係合されたベースユニットがベースの開口部に取り付けられた後、係合片に取り付けられた調整部材がベースに形成された取付突起を中心に所定量回転されることによって、調整部により、ベースユニットのベースに対する略垂直方向の傾きを調整することができる。
【００１９】
本発明によれば、周縁部に複数形成された係合片に調整部材が係合されたベースユニットが取付板に取り付けられた後、係合片に取り付けられた調整部材が取付板に形成された取付突起を中心に所定量回転されることによって、調整部により、ベースユニットの対向部材に対する略垂直方向の傾きを調整することができる。
【発明を実施するための最良の形態】
【００２０】
以下、本発明が適用されたディスクドライブ装置について、図面を参照しながら詳細に説明する。このディスクドライブ装置１は、ＣＤ（Compact Disc）、ＤＶＤ（Digital Versatile Disc）、ＢＤ（Blue-ray Disc）等の光ディスクの再生用のドライブ装置であり、図１に示すように、ノート型パーソナルコンピュータ等の電子機器２のドライブベイに搭載されるものである。
【００２１】
このディスクドライブ装置１は、図２に示すように、ドライブベイに搭載される外筐体となる装置本体３と、装置本体３の内部に設けられＤＶＤ等の光ディスク４が載置され、ベースとなるディスクトレイ５と、ディスクトレイ５に接続され、載置された光ディスク４に対して情報信号の再生を行うベースユニット６とを備える。
【００２２】
ドライブベイに搭載される外筐体となる装置本体３は、ディスクトレイ５の挿脱面となる前面及び上面が開放された略矩形箱状をなし、例えば、金属板から打ち抜き成形され、穴開け等の加工が施されて形成される。また、装置本体３には、ディスクドライブ装置１の駆動を制御する制御回路や電子機器２との接続を図る接続コネクタ等が形成された回路基板７が配設されている。また、装置本体３は、ディスクトレイ５が装置本体３の外へ引き出される前面と対向する側に背面壁３ａが形成され、これらを挟んだ両側縁部に側壁３ｂ，３ｃが立ち上がり形成されている。
【００２３】
相対向する側壁３ｂ，３ｃには、ディスクトレイ５の装置本体３からの挿脱をガイドするガイドレール８が背面壁３ａ側から開放端にかけて形成されている。ガイドレール８は、断面略コ字状に形成され、装置本体３側に向けて配設されている。このガイドレール８には、ディスクトレイ５に接続されたガイド部材９が摺動自在に係合されている。また、ガイドレール８は、ディスクトレイ５が所定の長さ以上に装置本体３より引き出されることを防止するため、ガイド部材９の摺動領域を規制するストッパ片１０が形成されている。このガイドレール８に係合されるガイド部材９は、断面略コ字状に形成され、ディスクトレイ５の両側面部を摺動可能に狭持する。そして、ガイド部材９は、ディスクトレイ５が装置本体３から引き出し又は挿入されると、ガイドレール８を摺動して、ディスクトレイ５を円滑に移動させる。
【００２４】
また、装置本体３の背面壁３ａ近傍に配設されている回路基板７は、いわゆるリジット基板であり、配線パターンが形成されると共に、外部機器との接続を図るコネクタ等の各種電子部品が実装されている。また、回路基板７は、後述するベースユニット６と接続されたＦＰＣ（Flexible Printed Circuit）１１が取り付けられている。
【００２５】
以上のような装置本体３は、電子機器２のドライブベイに組み込まれたとき、開放された上面側に、電子機器２側の構成部材、例えば、キーボードの裏面等が位置される。この装置本体３では、上面に天板を配することなく開放することにより、さらなる薄型化を図っている。
【００２６】
この装置本体３より挿脱されるディスクトレイ５は、例えば、ＰＰＥ（ポリフェニレンエーテル）等の機械的強度を有する熱可塑性樹脂で射出成型等により成型されている。また、ディスクトレイ５は、光ディスク４が収納される収納凹部１２が形成されている。収納凹部１２は、光ディスク４と略同じ大きさの略円形の凹部からなり、光ディスク４が信号記録面を向けて載置される。また、収納凹部１２は、主面部にディスクトレイ５に取り付けられたベースユニット６のディスクテーブル３１及び対物レンズ４６を光ディスク４側に臨ませる開口部１３が形成されている。この開口部１３は、収納凹部１２の略中央部からディスクトレイ５の前面５ａ側にかけて形成されている。また、開口部１３は、ベースユニット６のベースシャーシ３０に取り付けられた表面カバー７０を介して上方に臨まされたディスクテーブル３１及び対物レンズ４６が光ディスク４の信号記録面側に臨まされている。また、収納凹部１２は、図３に示すように、周囲に略円弧状に形成された収納壁１４が形成されている。収納壁１４は、光ディスク４を収納凹部１２の中心へガイドすると共にディスクトレイ５からの脱落を防止するためのものであり、内壁側にテーパ面が形成されている。
【００２７】
また、ディスクトレイ５は、図４に示すように、収納凹部１２が設けられた主面５ｂ側と反対側の裏面５ｃ側に、後述するベースユニット６が収納される収納部１５及びディスクトレイ５を装置本体３内に係合保持する保持機構１６が形成されている。この収納部１５には、ベースユニット６と係合される後述する複数の取付突起２０が形成されている。具体的に、この取付突起２０は、開口部１３の略中心を基準として、略等間隔に３個形成されている。
【００２８】
更に、ディスクトレイ５は、図２に示すように、装置本体３からの挿脱方向に亘って、ガイド部材９に係合されるガイド突条部１７が形成されている。ガイド突条部１７は、上述したガイド部材９に摺動自在に狭持され、装置本体３に対する挿脱がガイドされる。また、ガイド突条部１７は、装置本体３側である背面５ｄ側の端部及びディスクトレイ５の引き出し方向である前面５ａ側の端部に、詳細を省略するストッパ片１０が設けられ、ガイド部材９からの抜けや、ガイド部材９の前面５ａ側への突き出しが防止されている。
【００２９】
ディスクトレイ５を装置本体３内に保持する保持機構１６は、詳細を省略するが、例えば、装置本体３より立設されている係合ピンに係合されるフックと、ディスクトレイ５を装置本体３外へ付勢する付勢部材と、フックと係合ピンとの係脱を制御する制御手段とを有する。この保持機構１６は、ディスクトレイ５に光ディスク４が搭載されてユーザによって装置本体３内に押し込まれるとフックが係合ピンに係合することで付勢部材の付勢力に拘わらずディスクトレイ５を装置本体３内に保持する。また、保持機構１６は、電子機器２より取り出し信号を受けるとフックと係合ピンとの係合を解除し、付勢部材の付勢力によってディスクトレイ５を装置本体３外へ押し出す。
【００３０】
ディスクトレイ５の収納部１５に収納されるベースユニット６は、図５に示すように、ユニット本体を構成するベースシャーシ３０と、ベースシャーシ３０と一体的に形成され、光ディスク４が装着され、この光ディスクを回転するディスクテーブル３１と、ディスクテーブル３１によって回転される光ディスク４に対して光ビームを照射して反射された戻り光を検出する光ピックアップ装置３２と、光ピックアップ装置３２の移動をガイドする一対のガイド軸３４，３５と、ガイド軸３４，３５に沿って光ピックアップ装置３２を移動させるラック部材５０と、ラック部材５０と係合され、光ピックアップ装置３２を光ディスク４の径方向に亘って移動させるピックアップ移動機構３３とを備える。
【００３１】
ベースユニット６のユニット本体を構成するベースシャーシ３０は、金属で形成された略矩形状のフレーム体をなし、光ピックアップ装置３２の対物レンズ４６を光ディスク４の信号記録面側に臨ませる開口部４１が形成されている。この開口部４１は、略矩形状に形成されるとともに、長手方向の一端側に略円弧状の切欠部４２が形成されている。ベースシャーシ３０は、開口部４１の長手方向に亘って後述する一対のガイド軸３４，３５が延設され、これらガイド軸３４，３５に支持された光ピックアップ装置３２が開口部４１を横切るように配設されている。また、開口部４１の切欠部４２には、光ディスクを回転する円形のディスクテーブル３１及び図示はしないがディスクテーブル３１を回転駆動するスピンドルモータが配設されている。
【００３２】
また、ベースシャーシ３０には、後述する送りモータ６１を上方に臨ませるモータ用開口部４３が形成されている。このモータ用開口部４３は、送りモータ６１の上部を突出させ、これによりベースユニット６のユニット厚さの薄型化が図られることとなる。
【００３３】
更に、ベースシャーシ３０には、周縁部に、後述する取付突起２０の配置位置に応じて、先端が開口された略Ｃ字形状の係合片４４が３個形成されている。
【００３４】
ベースシャーシ３０の切欠部４２に配設されているディスクテーブル３１は、光ディスク４のセンタ孔を係合させることで、光ディスク４がセンタリングされて装着される。そして、ディスクテーブル３１は、光ディスク４を線速度一定、角速度一定又はこれらの組み合わせで回転する。
【００３５】
ディスクテーブル３１によって回転される光ディスク４に対して、光ビームを照射して反射された戻り光を検出する光ピックアップ装置３２は、図５に示すように、略矩形の筐体のピックアップベース４５を有する。このピックアップベース４５は、長手方向の一端側に後述するガイド軸３４が挿通される挿通孔４７が形成され、他端側に後述するガイド軸３５に係合する係合片４８が形成されている。また、ピックアップベース４５は、少なくとも、光ビームを出射する半導体レーザ等の図示しない光源と、この光源から出射された光ビームを光ディスク４の信号記録面に集光させて照射する対物レンズ４６と、光ディスク４の信号記録面から反射の戻り光を検出する図示しない光検出器と、対物レンズ４６を光ディスク４のフォーカシング方向及びトラッキング方向に駆動させる図示しない駆動系が配設されている。更に、ピックアップベース４５には、対物レンズ４６の駆動系を制御する駆動回路等が形成されたＦＰＣ１１が取り付けられている。
【００３６】
以上のような光ピックアップ装置３２は、ディスクテーブル３１によって回転される光ディスク４に対して光源から出射された光ビームを、駆動系により対物レンズ４６をフォーかシング方向及びトラッキング方向に駆動させて光ビームを集光させて照射し、光ディスク４の信号記録面から反射された戻り光を光検出器で検出することによって光ディスク４にデータの記録を行い、又は、光ディスクに記録されているデータの読み出しを行う。
【００３７】
光ピックアップ装置３２の移動をガイドする一対のガイド軸３４，３５は、図５に示すように、ベースシャーシ３０の開口部４１に相対向し、光ディスク４の径方向に直線移動可能に配設されている。また、ガイド軸３４，３５は、対物レンズ４６が開口部４１より光ディスク４の信号記録面と対向されるように、各両端部が、ベースシャーシ３０の裏面に取り付けられたハウジング４９に支持されている。更に、ガイド軸３４，３５は、各ハウジング４９の略垂直方向に対する傾きや高さが調整されてベースユニット６のスキュー調整が行われる。
【００３８】
ガイド軸３４，３５に沿って光ピックアップ装置３２を移動させるラック部材５０は、図５に示すように、ガイド軸３５と隣接して設けられ、一端をピックアップベース４５にビス止めされ、他端を後述するピックアップ移動機構３３のリードスクリュ６０の軸部に形成されたネジ溝と係合されている。また、ラック部材５０は、リードスクリュ６０のネジ溝と係合することにより、リードスクリュ６０の回転運動を直線移動に変換することで、ピックアップベース４５を、ガイド軸３４，３５に沿って移動させる。
【００３９】
光ピックアップ装置３２を光ディスク４の径方向に亘って移動させるピックアップ移動機構３３は、図５に示すように、ガイド軸３４に隣接してこのガイド軸３４と平行にベースシャーシ３０に取り付けられているリードスクリュ６０と、リードスクリュ６０を回転駆動する送りモータ６１とを有する。
【００４０】
ガイド軸３４に隣接してこのガイド軸３４と平行にベースシャーシ３０に取り付けられているリードスクリュ６０は、ネジ溝が形成された軸部の一端を軸受けに回転自在に支持され、他端を後述する送りモータ６１と連結されている。また、リードスクリュ６０は、軸部に、ピックアップベース４５に設けられたラック部材５０がこのネジ溝を摺動可能に係合されている。更に、リードスクリュ６０は、送りモータ６１に回転駆動されることにより、ラック部材５０を介して光ピックアップ装置３２を光ディスク４の径方向に亘って移動させることができる。
【００４１】
リードスクリュ６０を回転駆動する送りモータ６１は、スレッドモータとしてステッピングモータや直流モータが用いられる。また、送りモータ６１は、ステッピングモータを用いた場合、矩形波によりステップ送りされることによってリードスクリュ６０を回転駆動して、光ピックアップ装置３２を光ディスク４の径方向に亘って移動させる。
【００４２】
以上のようなピックアップ移動機構３３は、電子機器２によって光ピックアップ装置３２が駆動されるとき、電子機器２のマイコンによってサーボ制御された送りモータ６１が所定回数だけ回転されて、リードスクリュ６０の軸部と係合するラック部材５０が軸部に沿って移動され、光ピックアップ装置３２が光ディスク４の径方向に亘って搬送される。
【００４３】
ベースユニット６をディスクトレイ５に取り付ける際に、ベースユニット６のディスクトレイ５に対する略垂直方向の傾きを調整する調整部材２４は、図６に示すように、ディスクトレイ５の収納部１５に形成された各取付突起２０に挿通されるホルダ２１と、このホルダ２１とでベースシャーシ３０の係合片４４を挟んで結合される支持板２２とを有する。
【００４４】
ここで、各係合片４４には、図６に示すように、ゴム等の弾性材料からなるモータ等による振動等を分散吸収するインシュレータ２３が係合されている。係合片４４に係合されるインシュレータ２３は、取付突起２０に係合された後述するホルダ２１の軸部２１ａの外径より略同様又はやや大径な挿通孔を有する軸部と、この軸部の外周面の両端に設けられた一対のフランジ部とからなる。そして、インシュレータ２３は、軸部が係合片４４に係合され、更にこの係合片４４にフランジ部２３ｂを介して調整部材２４が取り付けられるので、ベースシャーシ３０等からの振動等をディスクトレイ５に伝えることなく分散吸収する。なお、係合片４４には、振動等を他の部材で分散吸収することができれば、インシュレータ２３を係合させなくてもよい。
【００４５】
次に、ホルダ２１が挿通される取付突起２０について説明する。各取付突起２０は、図４に示すように、収納部１５に、複数形成されている。具体的に、各取付突起２０は、ベースユニット６を安定して支持し、ベースユニット６の収納部１５に対する如何なる傾きにも対応できるように、略等間隔に３個形成されている。
【００４６】
各取付突起２０には、図６に示すように、後述するホルダ２１を安定して支持できるように、外周面に、周回り方向の同一円周上に略等間隔に調整突起２０ａが３個形成されている。また、各取付突起２０には、外周面に、調整突起２０ａの配置位置に応じて周回り方向に略等間隔に、調整突起２０ａより低く、調整突起２０ａと収納部１５とを取付突起２０の軸線方向に連続させる突出部２０ｂが形成されている。更に、各取付突起２０には、上面に、後述する裏面カバー７１をビス７２等で固定するネジ孔であるカバー固定孔２０ｃが形成されている。また、取付突起２０の周囲には、一の調整突起２０ａの配置位置に応じて、ホルダ２１を挿通させるときの調整突起２０ａの配置位置の目印となる目印部２０ｄが形成されている。この目印部２０ｄは、例えば、一の調整突起２０ａの配置位置に応じた凹部からなり、平面視したときにホルダ２１に隠れないような距離を有して形成されている。
【００４７】
なお、取付突起２０は、３個形成されることに限定されるものではなく、ベースユニット６が安定して支持できれば、少なくとも３箇所で支持できればよく、４箇所等でもよい。また、取付突起２０は、略等間隔に形成されることに限定されるものではなく、ベースユニット６を支持できればよい。
【００４８】
なお、調整突起２０ａは、３個形成されることに限定されるものではなく、後述するホルダ２１が安定して支持できれば、少なくとも３箇所で支持できればよく、４箇所等でもよい。また、調整突起２０ａは、周回り方向の同一円周上に形成されることに限定されるものではなく、後述するホルダ２１の調整溝２１ｃを対応させれば、周回り方向の同一円周上に形成しなくてもよい。
【００４９】
なお、突出部２０ｂは、調整突起２０ａの配置位置に応じて形成されることに限定されるものではなく、例えば、各調整突起２０ａの間に形成されてもよい。
【００５０】
なお、目印部２０ｄは、一の調整突起２０ａの配置位置に応じて形成されることに限定されるものではなく、例えば、各調整突起２０ａの配置位置に応じて形成されてもよい。
【００５１】
取付突起２０に挿通される調整部材２４であるホルダ２１は、ポリカーボネート等の機械的強度を有する熱可塑性樹脂で射出成型等により成型されている。また、ホルダ２１は、図６に示すように、取付突起２０の外周面よりやや大径な挿通孔２１ｈを有する軸部２１ａと、この軸部２１ａの外周面の一端に設けられたフランジ部２１ｂとを有する。
【００５２】
更に、ホルダ２１には、軸部２１ａの周面に、各調整突起２０ａの配置位置に応じて周回り方向に略等間隔に調整突起２０ａが係合される調整部となる調整溝２１ｃが３個形成されている。各調整溝２１ｃは、図７に示すように、調整突起２０ａが係合できる程度の幅を有して開口され、取付突起２０の軸線に対して右上がりに傾斜するように階段状に３つの高さの異なる溝が連続して形成されている。また、各調整溝２１ｃは、２段目の高さの溝に調整突起２０ａが係合されたとき、設計上の光ディスク４とディスクトレイ５との間の略垂直方向のクリアランスとなるように設けられている。更に、各調整溝２１ｃは、２段目の溝を基準として、例えば０．１５ｍｍ高く３段目の溝が設けられ、例えば０．１５ｍｍ低く１段目の溝が設けられている。そして、各調整溝２１ｃは、ホルダ２１が取付突起２０を中心に回転されると、調整突起２０ａを高さの異なる溝にガイドする。
【００５３】
また、ホルダ２１には、図６に示すように、挿通孔２１ｈの内周面に、突出部２０ｂと係合する係合溝２１ｄが形成されている。この係合溝２１ｄは、各調整溝２１ｃの３つの高さの異なる各溝の円周方向略中間位置に形成されている。そして、各係合溝２１ｄは、ホルダ２１が取付突起２０を中心に回転され、調整突起２０ａがそれぞれの溝の略中間位置にガイドされたとき、突出部２０ｂと係合することで、クリック感を付与して溝が変わったことを告知するとともに、ホルダ２１を保持させる。
【００５４】
更に、ホルダ２１は、挿通孔２１ｈの内周面に、取付突起２０に挿通されるときに調整突起２０ａを調整溝２１ｃに挿通させる挿通溝２１ｉが形成されている。この挿通溝２１ｉは、フランジ部２１ｂと調整溝２１ｃとに連続する凹溝である。また、挿通溝２１ｉは、各調整突起２０ａに応じて、各調整突起２０ａよりやや幅が広く、各調整突起２０ａの高さよりやや深く形成されている。そして、挿通溝２１ｉは、取付突起２０にホルダ２１が挿通されるときに調整突起２０ａがフランジ部２１ｂに当たらないように逃がし、調整突起２０ａを、例えば、第一段目の溝に挿通させる。
【００５５】
また、ホルダ２１には、軸部２１ａの先端に、２段目の調整溝２１ｃの配置位置に応じて周回り方向に略等間隔にスナップフィット結合方式で後述する支持板２２と結合する係合爪２１ｅが３個形成されている。
【００５６】
また、ホルダ２１には、フランジ部２１ｂに、挿通溝２１ｉの配置位置に応じて、ホルダ２１を取付突起２０に挿通させるときの目印となる目印切欠部２１ｆが形成されている。更に、ホルダ２１には、フランジ部２１ｂに、調整溝２１ｃの２段目の配置位置に応じて、２段目の配置位置の目印となる基準目印切欠部２１ｇが形成されている。
【００５７】
そして、ホルダ２１は、目印切欠部２１ｆが目印部２０ｄと一致するように取付突起２０に挿通させると、調整突起２０ａが調整溝２１ｃの一段目の溝に挿通されるので、ホルダ２１と収納部１５との間に最も大きなクリアランスを有し、ホルダ２１と収納部１５との接触を防止することができる。
【００５８】
また、ホルダ２１は、２段目の基準目印切欠部２１ｇが目印部２０ｄと一致するように取付突起２０を中心に回転されると、調整突起２０ａが設計上のクリアランスを有するように設けられた２段目の溝と係合される。
【００５９】
なお、調整溝２１ｃは、３段階に限定されるものではなく、段階の数は、５段階等でもよく、適宜変更可能である。また、調整溝２１ｃは、０．１５ｍｍの段差に設けることに限定されるものではなく、クリアランスの調整精度によって、適宜変更可能である。更に、調整溝２１ｃは、階段状に形成されることに限定されるものではなく、無段階に調整できるように、単に、直線的な溝でもよい。また、調整溝２１ｃは、取付突起２０の軸線に対して左上がりに傾斜するように形成してもよい。
【００６０】
なお、係合溝２１ｄは、各調整溝２１ｃの高さの異なる各溝の円周方向略中間位置に形成されることに限定されるものではなく、ホルダ２１が取付突起２０を中心に回転される度に突出部２０ｂと係合してクリック感を付与するように連続して複数個形成してもよい。また、係合溝２１ｄは、例えば、クリック感を異ならせて、回転する度にクリック感を付与するとともに、溝が変わったこともクリック感で告知するように形成してもよい。更に、ホルダ２１には、突出部を設け、取付突起２０には、係合溝を設けることで、クリック感を付与するようにしてもよい。また、ホルダ２１及び取付突起２０には、クリック感を付与して溝が変わった等の告知をする必要がなければ、突出部及び係合溝を設けなくてもよい。
【００６１】
なお、係合爪２１ｅは、２段目の調整溝の配置位置に応じて形成されることに限定するものではなく、例えば、単に、周回り方向に略等間隔に形成してもよい。
【００６２】
ホルダ２１と結合される調整部材２４である支持板２２は、ポリカーボネート等の機械的強度を有する熱可塑性樹脂で射出成型等により成型されている。また、支持板２２は、図６に示すように、ホルダ２１の軸部２１ａの外周面よりやや大径な内周面と、ホルダ２１のフランジ部２１ｂと略同様の外径とを有するリング形状である。
【００６３】
更に、支持板２２には、内周面に、周回り方向に略等間隔にホルダ２１の係合爪２１ｅの配置位置に応じて、係合凹部２２ａが３個形成されている。そして、係合凹部２２ａは、ホルダ２１の係合爪２１ｅに係合されることでスナップフィット結合方式でホルダ２１と支持板２２とが結合される。このとき、係合凹部２２ａは、ホルダ２１と支持板２２とが取付突起２０の軸線方向に一体化されるとともに、係合凹部２２ａと係合爪２１ｅの側面とが当接されることで、回転方向にも一体化される。また、支持板２２には、ホルダ２１と対向する主面と反対側の主面に、軸部２１ａの軸線を中心として略等間隔に調整治具等が挿入される操作孔２２ｂが２個形成されている。
【００６４】
なお、支持板２２には、係合爪を設け、ホルダ２１には、係合凹部を設けることで、支持板２２とホルダ２１とが結合するようにしてもよい。
【００６５】
なお、ホルダ２１と支持板２２とは、係合爪及び係合凹部とによるスナップフィット結合方式で結合されることに限定されず、軸線方向及び回転方向に一体化されるものであればよく、ビス止め等で結合してもよい。
【００６６】
以上のような調整部材２４を用いて収納部１５に取り付けられるベースユニット６には、図２及び図３に示すように、ベースシャーシ３０の表面側に表面カバー７０がビス止めされ、裏面側に裏面カバー７１がディスクトレイ５にビス止めされることによって表面カバー７０及び裏面カバー７１に狭持される。
【００６７】
ベースシャーシ３０の上面側にビス止めされる表面カバー７０は、光ピックアップ装置３２に形成された対物レンズ４６及びディスクテーブル３１を上方に臨ませる開口部７３が形成されている。この開口部７３は、ピックアップベース４５の移動領域に応じて、光ディスク４の内周側から外周側にかけて略矩形状に形成された矩形開口部７３ａと、ディスクテーブル３１に対応して矩形開口部７３ａの内周側端部と連続して略円形に形成された円形開口部７３ｂとを有する。
【００６８】
また、表面カバー７０は、ベースユニット６がディスクトレイ５の収納部１５に収納されると、図３に示すように、ディスクトレイ５の開口部１３より光ディスク４側に臨まされ、収納凹部１２の一部を構成する。そして、表面カバー７０は、ベースシャーシ３０にビス止めされているため、ベースシャーシ３０側に密着され、収納凹部１２からの浮き上がりが防止され、表面カバー７０の主面や開口部７３の開口端によって光ディスク４の信号記録面を傷つけることが防止される。
【００６９】
ベースシャーシ３０の裏面側にビス止めされる裏面カバー７１は、図２に示すように、アルミニウムの板状体を打ち抜き成形することにより形成されている。裏面カバー７１は、所定のビス孔７１ａが形成され、ディスクトレイ５の収納部１５内に収納されたベースシャーシ３０の裏面側より、ベースシャーシ３０の係合片４４を介して、収納部１５に突設された取付突起２０の上面に形成されたカバー固定孔２０ｃにビス止めされる。
【００７０】
また、裏面カバー７１のビス孔７１ａの周囲には、図６に示すように、略等間隔に支持板２２の操作孔２２ｂの配置位置に応じて、支持板２２の操作孔２２ｂを外部に臨ませる調整孔７１ｂが形成されている。これらの調整孔７１ｂは、裏面カバー７１の外部より操作孔２２ｂに調整治具等を挿入して支持板２２を回転させることができる形状であればよく、例えば、操作孔２２ｂの配置位置に応じて、ビス孔７１ａを中心に略等間隔に調整治具よりやや幅広な略円弧状の溝が２個形成されている。
【００７１】
ここで、調整部材２４を用いてベースユニット６をディスクトレイ５の収納部１５に取り付ける取付方法について説明する。
【００７２】
先ず、図８に示すように、ホルダ２１は、目印切欠部２１ｆと取付突起２０の周囲に形成された目印部２０ｄとが一致され、収納部１５に形成された取付突起２０に挿通される。
【００７３】
そして、図９に示すように、ホルダ２１は、基準目印切欠部２１ｇと取付突起２０の周囲に形成された目印部２０ｄとが一致され、突出部２０ｂと係合溝２１ｄとか係合されてクリック感が付与されるまで取付突起２０を中心に裏面視右方向、すなわち、図９中のＡ１方向に回転され、調整突起２０ａが調整溝２１ｃにガイドされて２段目の溝に係合される。
【００７４】
そして、図１０に示すように、ベースシャーシ３０の各係合片４４には、インシュレータ２３が係合されて取り付けられる。そして、図１０に示すように、インシュレータ２３が係合された係合片４４の挿通孔の内周面には、ホルダ２１が係合された取付突起２０が挿通される。
【００７５】
そして、図１１に示すように、支持板２２は、ホルダ２１の軸部２１ａの外周面に挿入される。そして、ベースシャーシ３０の各係合片４４は、図１２に示すように、支持板２２の係合凹部２２ａがホルダ２１の係合爪２１ｅと結合されることで、ホルダ２１と支持板２２とに挟持される。
【００７６】
そして、図１３に示すように、裏面カバー７１は、支持板２２の操作孔２２ｂが調整孔７１ｂから外部に臨むように、取付突起２０に形成されたカバー固定孔２０ｃにビス７２で固定される。
【００７７】
次に、かくして、調整部材２４を用いてベースユニット６をディスクトレイ５の収納部１５に取り付け、ディスクドライブ装置１が組み立てられると、次いで、光ディスク４とディスクトレイ５の収納凹部１２との摺れが発生していないか検査が行われる。
【００７８】
先ず、ディスクドライブ装置１は、回路基板７のコネクタ等に検査装置が接続され、ディスクテーブル３１や光ピックアップ装置３２が駆動可能とされる。そして、ディスクドライブ装置１は、例えば検査用の光ディスク４がディスクテーブル３１に装着され、検査装置によりスピンドルモータが駆動されて光ディスク４がディスクテーブル３１と一体的に回転される。このディスクドライブ装置１は、光ピックアップ装置３２によって、ディスクテーブル３１によって回転されている光ディスク４に対して光源から出射された光ビームを対物レンズ４６で集光して照射し、光ディスク４で反射された戻りの光ビームを光検出器で検出して、光ピックアップ装置３２からの出力信号を用いて検査装置で面ぶれ等を検出することにより、又は、目視検査等により、光ディスク４とディスクトレイ５の収納凹部１２との摺れの有無、場所、程度等が特定される。
【００７９】
また、ディスクドライブ装置１は、光ディスク４とディスクトレイ５の収納凹部１２との摺れが発生していることが確認されると、検査装置により、光ディスク４と収納凹部１２との摺れの場所や程度とに応じて、摺れの場所と程度に応じて光ディスク４と収納凹部１２との間に光ディスク４が収納凹部１２に摺れないようなクリアランスを有する光ディスク４の収納凹部１２に対する略垂直方向の傾きの調整量、すなわち、光ディスク４が装着されるディスクテーブル３１を有するベースユニット６の収納部１５に対する略垂直方向の傾きの調整量が特定され、この傾きの調整量に応じてベースユニット６の各係合片４４の収納部１５に対する略垂直方向の調整量が特定される。
【００８０】
次に、ディスクドライブ装置１は、光ディスク４とディスクトレイ５の収納凹部１２との摺れが確認されると、次いで、光ディスク４の収納凹部１２に対する略垂直方向の傾き、具体的に、ベースユニット６の収納部１５に対する略垂直方向の傾きが調整される。
【００８１】
先ず、調整者は、上述した検査装置等による特定されたベースユニット６の各係合片４４の収納部１５に対する略垂直方向の調整量に応じて、ベースシャーシ３０の裏面側にビス止めされた裏面カバー７１の調整孔７１ｂより、係合片４４に係合された調整部材２４の支持板２２の各操作孔２２ｂに、金属棒等の治具を挿入する。そして、調整者は、ベースユニット６の各係合片４４の収納部１５に対する略垂直方向の調整量に応じて、係合片４４に係合された調整部材２４を所定回転方向に所定量回転させることで、係合片４４と収納部１５との間の略垂直方向のクリアランスを調整する。
【００８２】
ここで、調整者は、図１３に示すように、係合片４４と収納部１５との間の略垂直方向のクリアランスを現状より大きく設ける場合、係合片４４に係合された調整部材２４を、取付突起２０の調整突起２０ａがホルダ２１の係合溝２１ｄに係合されてクリック感が付与されるまで取付突起２０を中心に裏面視右方向、すなわち、図１３中のＢ１方向に、回転させることで、調整溝２１ｃによって調整突起２０ａが３段目の溝にガイドされ、調整部材２４が現状より収納部１５に近づき、係合片４４と収納部１５との間の略垂直方向のクリアランスを大きく調整することができる。
【００８３】
一方、調整者は、係合片４４と収納部１５との間の略垂直方向のクリアランスを現状より小さく設ける場合、係合片４４に係合された調整部材２４を、クリック感が付与されるまで取付突起２０を中心に裏面視左方向、すなわち、図１３中のＣ１方向に、回転させることで、調整溝２１ｃによって調整突起２０ａが１段目の溝にガイドされ、調整部材２４が現状より収納部１５から遠ざかり、係合片４４と収納部１５との間の略垂直方向のクリアランスを小さく調整することができる。
【００８４】
そして、光ディスク４が収納凹部１２に摺らないように調整されたディスクドライブ装置１は、再び光ディスク４と収納凹部１２との摺れの有無を確認する検査が行われ、光ディスク４と収納凹部１２との摺れが確認されない場合、ノート型のパーソナルコンピュータ等の電子機器２のドライブベイに搭載される。
【００８５】
以上のように構成された本発明は、ベースユニット６の周縁部に形成された複数の係合片４４に、ホルダ２１が既に係合されている収納部１５に形成された取付突起２０が挿通され、ホルダ２１と支持板２２とで係合片４４が挟むように結合されることで、ベースユニット６がディスクトレイ５に取り付けられ、取り付けられた後、各ホルダ２１が取付突起２０を中心に所定量回転されることで、調整突起２０ａが高さの異なる調整溝２１ｃにガイドされ、各調整部材２４によって係合片４４と収納部１５との間の略垂直方向のクリアランスを調整することができ、ベースユニット６の収納部１５に対する略垂直方向の傾きを調整することができるので、光ディスク４が収納凹部１２に摺ることを防止することができる。
【００８６】
また、本発明は、支持板２２の操作孔２２ｂを裏面カバー７１の外部に臨ませるように裏面カバー７１に調整孔７１ｂが形成されているので、ディスクドライブ装置１の組立完成後に分解することなく、調整孔７１ｂより操作孔２２ｂに治具等を挿入させて、各ホルダ２１が取付突起２０を中心に所定量回転されることで、調整突起２０ａが高さの異なる調整溝２１ｃにガイドされ、各調整部材２４によって係合片４４と収納部１５との間の略垂直方向のクリアランスを調整することができ、ベースユニット６の収納部１５に対する略垂直方向の傾きを調整することができるので、光ディスク４が収納凹部１２に摺ることを防止することができる。
【００８７】
更に、本発明は、ディスクドライブ装置１の組立完成後に分解することなく、各調整部材２４によって係合片４４と収納部１５との間の略垂直方向のクリアランスを調整することができ、ベースユニット６の収納部１５に対する略垂直方向の傾きを調整することができるので、部品精度のバラツキ，組立精度のバラツキ等による光ディスク４が収納凹部１２に摺ることを防止することができる。
【００８８】
また、本発明は、ベースユニット６の係合片４４の少なくとも３箇所が独立して調整可能なため、各係合片４４毎に係合片４４と収納部１５との間の略垂直方向のクリアランスを調整することができるので、ディスクトレイ５に対して、ベースユニット６のスキュー調整も可能になる。
【００８９】
なお、調整突起２０ａが形成された取付突起２０と、取付突起２０の軸線に対して傾斜するように調整溝２１ｃとでディスクトレイ５に対して略垂直方向に調整することに限定されるものではない。
【００９０】
なお、調整部材２４は、ホルダ２１と支持板２２等の別部材からなることに限定されるものではなく、例えば、軸部とこの軸部の両端に一対のフランジ部が形成されたような一体形状でもよい。
【００９１】
次に、ベースユニット６をベースとなるディスクトレイ５に対して略垂直方向に調整する他の例の調整部を有する一体形状の調整部材８１を備えるディスクドライブ装置１について説明する。
【００９２】
このディスクドライブ装置１は、図１４及び図１５に示すように、基端にフランジ部８０ａを有する取付突起８０と、一対のフランジ部８１ｂ，８１ｂを有する調整部材８１との対向する面にそれぞれ調整部を形成し、係合片４４に調整部材８１を係合させ、調整部材８１にディスクトレイ５に形成された取付突起８０を挿通させることによって、ディスクトレイ５に取り付けられ、各調整部材８１が、ベースユニット６が開口部１３に取り付けられた後、取付突起８０を中心に所定量回転されることによって、調整部によってディスクトレイ５に対して略垂直方向に調整することができる。
【００９３】
以下、ディスクドライブ装置１は、上述したディスクドライブ装置１と同様の構成を有する場合は、同じ符号を付して説明を省略する。
【００９４】
ディスクトレイ５の収納部１５に形成された各取付突起８０には、図１４及び図１５に示すように、フランジ部８０ａを有し、フランジ部８０ａの調整部材８１と対向する側の主面に、調整部材８１が安定して支持できるように、取付突起８０の軸線を中心に略等間隔に調整部である調整段差８０ｂが３箇所形成されている。各調整段差８０ｂには、３つの高さの異なる段差が形成され、裏面視右回りに順次段差が高くなるようにラセン階段状に連続して形成されている。また、各取付突起８０には、上面に、裏面カバー７１をビス７２等で固定するカバー固定孔２０ｃが形成されている。そして、取付突起８０には、調整部材８１が係合される。
【００９５】
取付突起８０が係合される調整部材８１は、図１４及び図１５に示すように、取付突起８０の外周面よりやや大径な挿通孔８１ｆを有する軸部８１ａと、この軸部８１ａの外周面の両端に設けられた一対のフランジ部８１ｂ，８１ｂとを備える。また、調整部材８１には、取付突起８０のフランジ部８０ａと対向する側のフランジ部８１ｂの主面に、調整段差８０ｂの配置位置に応じて挿通孔８１ｆの内周面の軸線を中心に略等間隔に調整部となる調整突部８１ｃが３箇所形成されている。これにより、調整突部８１ｃは、調整部材８１が取付突起８０を中心に回転されると、調整段差８０ｂによって高さの異なる段差にガイドされる。
【００９６】
また、調整部材８１には、図１５に示すように、取付突起８０のフランジ部８０ａと対向する側と反対側に開口され、バネ等の弾性部材８２が挿入されるリング状の付勢溝８１ｄが形成されている。そして、調整部材８１は、裏面カバー７１がカバー固定孔２０ｃにビス止めされることで、弾性部材８２が取付突起８０方向に付勢され、調整段差８０ｂと調整突部８１ｃとが当接される。
【００９７】
更に、調整部材８１は、取付突起８０のフランジ部８０ａと対向する側と反対側のフランジ部８１ｂの主面に、挿通孔８１ｆの内周面の軸線を中心として略等間隔に調整治具等が挿入される操作孔８１ｅが２個形成されている。
【００９８】
以上のように構成された本発明は、ベースユニット６の周縁部に形成された複数の係合片４４に調整部材８１の軸部８１ａが係合され、係合片４４の内側に取付突起８０が挿通され、裏面カバー７１がカバー固定孔２０ｃにビス止めされて弾性部材８２により調整部材８１が取付突起８０方向に付勢されることで、調整段差８０ｂと調整突部８１ｃとが当接され、ベースユニット６がディスクトレイ５に取り付けられた後、調整部材８１を取付突起８０を中心に所定量回転されることによって、調整突部８１ｃが高さの異なる調整段差８０ｂにガイドされ、各調整部材８１によって係合片４４と収納部１５との間の略垂直方向のクリアランスを調整することができ、ベースユニット６の収納部１５に対する略垂直方向の傾きを調整することができるので、光ディスク４が収納凹部１２に摺ることを防止することができる。
【００９９】
以上、ディスクトレイ５をベースユニット６が取り付けられるベースとして説明してきたが、本発明は、ディスクトレイ５以外のものをベースとしてもよい。例えば、ディスクトレイ５のように、移動板ではなく、筐体等に固定された固定板であってもよい。
【０１００】
次に、対向部材となるディスクトレイ５の裏面を覆う取付板となる裏面カバー９１にベースユニット６が取り付けられるディスクドライブ装置９０について説明する。以下、ディスクドライブ装置９０は、上述したディスクドライブ装置１と同様の構成を有する場合は、同じ符号を付して説明を省略する。
【０１０１】
ディスクドライブ装置９０は、ドライブベイに搭載される外筐体となる装置本体３と、装置本体３の内部に設けられＤＶＤ等の光ディスク４が載置され、対向部材となるディスクトレイ５と、ディスクトレイ５に接続され、載置された光ディスク４に対して情報信号の再生を行うベースユニット６と、ディスクトレイ５の裏面側を覆い、ベースユニット６が取り付けられ、取付板となる裏面カバー９１とを備える。
【０１０２】
ここで、装置本体３及びベースユニット６については、上述したディスクドライブ装置１のものと同様の構成を有するため、説明を省略する。
【０１０３】
ディスクトレイ５は、図１６に示すように、所定のビス孔７１ａが形成され、裏面カバー９１に取り付けられたベースシャーシ３０の表面側より、ベースシャーシ３０の係合片４４を介して、裏面カバー９１に突設された取付突起９２の上面に形成されたネジ孔であるカバー固定孔２０ｃにビス止めされる。ディスクトレイ５のビス孔７１ａの周囲には、略等間隔に支持板２２の操作孔２２ｂの配置位置に応じて、支持板２２の操作孔２２ｂを外部に臨ませる調整孔７１ｂが形成されている。なお、ディスクトレイ５のその他の構成は、上述したディスクドライブ装置１のものと同様の構成を有するため、説明を省略する。
【０１０４】
ベースユニット６を、ディスクトレイ５を覆う裏面カバー９１に取り付ける際に、ベースユニット６のディスクトレイ５に対する略垂直方向の傾きを調整する調整部材２４は、図１６に示すように、裏面カバー９１に形成された各取付突起９２に挿通されるホルダ２１と、ホルダ２１とでベースシャーシ３０の係合片４４を挟んで結合される支持板２２とを有する。
【０１０５】
先ず、ホルダ２１が挿通される取付突起９２について説明する。各取付突起９２は、裏面カバー９１に複数形成されている。具体的に、各取付突起９２は、ベースユニット６を安定して支持し、ベースユニット６の収納部１５に対する如何なる傾きにも対応できるように、略等間隔に３個形成されている。また、各取付突起９２には、上面に、裏面カバー９１をディスクトレイ５の収納部１５にビス７２等で固定するネジ孔であるカバー固定孔２０ｃが形成されている。更に、各取付突起９２には、調整突起２０ａ、突出部２０ｂ及び目印部２０ｄ等が形成されているが、上述したディスクドライブ装置１のものと同様の構成を有するため、説明を省略する。
【０１０６】
また、ホルダ２１及び支持板２２は、上述したディスクドライブ装置１のものと同様の構成を有するため、説明を省略する。
【０１０７】
ここで、調整部材２４を用いてベースユニット６を裏面カバー９１に取り付けられる取付方法について説明する。
【０１０８】
先ず、ホルダ２１は、目印切欠部２１ｆと取付突起の周囲に形成された目印部２０ｄとが一致されるようにして裏面カバー９１に形成された取付突起９２に挿通される。
【０１０９】
そして、ホルダ２１は、基準目印切欠部２１ｇと取付突起の周囲に形成された目印部２０ｄとが一致され、突出部２０ｂと係合溝２１ｄとか係合されてクリック感が付与されるまで取付突起９２を中心に平面視右方向に回転されることで、調整突起２０ａが調整溝２１ｃにガイドされ、２段目の溝に係合される。
【０１１０】
そして、ベースシャーシ３０の各係合片４４には、インシュレータ２３が係合されて取り付けられる。そして、インシュレータ２３が係合された係合片４４の内側には、ホルダ２１が係合された取付突起９２が挿通される。
【０１１１】
そして、支持板２２は、ホルダ２１の軸部２１ａの外周面に挿入される。そして、ベースシャーシ３０は、支持板２２の係合凹部２２ａがホルダ２１の係合爪２１ｅと結合されることで、ホルダ２１と支持板２２とに挟持される。
【０１１２】
そして、裏面カバー９１は、支持板２２の操作孔２２ｂが調整孔７１ｂから外部に臨むように、取付突起９２に形成されたカバー固定孔２０ｃにビス７２で固定される。
【０１１３】
次に、かくして、調整部材２４を用いてベースユニット６を裏面カバー９１に取り付け、ディスクドライブ装置９０が組み立てられると、次いで、光ディスク４とディスクトレイ５の収納凹部１２との摺れが発生していないか検査が行われるが、上述したディスクドライブ装置１と同様の検査が行われるため説明を省略する。
【０１１４】
そして、調整者は、上述した検査装置等による特定されたベースユニット６の各係合片４４の収納部１５に対する略垂直方向の調整量に応じて、ベースシャーシ３０の表面側にビス止めされたディスクトレイ５の調整孔７１ｂより、係合片４４に係合された調整部材２４の支持板２２の各操作孔２２ｂに、金属棒等の治具を挿入する。そして、調整者は、ベースユニット６の各係合片４４の収納部１５に対する略垂直方向の調整量に応じて、係合片４４に係合された調整部材２４を所定回転方向に所定量回転させることで、光ディスク４とディスクトレイ５との間の略垂直方向のクリアランスを調整する。
【０１１５】
ここで、調整者は、係合片４４と収納部１５との間の略垂直方向のクリアランスを現状より大きく設ける場合、係合片４４に係合された調整部材２４を、取付突起２０の調整突起２０ａがホルダ２１の係合溝２１ｄに係合されてクリック感が付与されるまで取付突起２０を中心に平面視左方向に回転させることで、調整溝２１ｃによって調整突起２０ａが１段目の溝にガイドされ、調整部材２４が現状より収納部１５に近づき、係合片４４と収納部１５との間の略垂直方向のクリアランスを大きく調整することができる。
【０１１６】
一方、調整者は、係合片４４と収納部１５との間の略垂直方向のクリアランスを現状より小さく設ける場合、係合片４４に係合された調整部材２４を、クリック感が付与されるまで取付突起２０を中心に平面視右方向に回転させることで、調整溝２１ｃによって調整突起２０ａが３段目の溝にガイドされ、調整部材２４が現状より収納部１５から遠ざかり、係合片４４と収納部１５との間の略垂直方向のクリアランスを小さく調整することができる。
【０１１７】
そして、光ディスク４が収納凹部１２に摺らないように調整されたディスクドライブ装置１は、再び光ディスク４と収納凹部１２との摺れの有無を確認する検査が行われ、光ディスク４と収納凹部１２との摺れが確認されない場合、ノート型のパーソナルコンピュータ等の電子機器２のドライブベイに搭載される。
【０１１８】
以上のように構成された本発明は、ベースユニット６の周縁部に形成された複数の係合片４４に、ホルダ２１が既に係合されている裏面カバー９１に形成された取付突起９２が挿通され、ホルダ２１と支持板２２とで係合片４４が挟むように結合されることで、ベースユニット６が裏面カバー９１に取り付けられ、取り付けられた後、各ホルダ２１が取付突起９２を中心に所定量回転されることで、調整突起２０ａが高さの異なる調整溝２１ｃにガイドされ、各調整部材２４によって係合片４４と収納部１５との間の略垂直方向のクリアランスを調整することができ、ベースユニット６の収納部１５に対する略垂直方向の傾きを調整することができるので、光ディスク４が収納凹部１２に摺ることを防止することができる。
【０１１９】
また、本発明は、支持板２２の操作孔２２ｂをディスクトレイ５の外部に臨ませるように収納凹部１２に調整孔７１ｂが形成されているので、ディスクドライブ装置を組立完成後に分解することなく、調整孔７１ｂより操作孔２２ｂに治具等を挿入させて、各ホルダ２１が取付突起２０を中心に所定量回転されることで、調整突起２０ａが高さの異なる調整溝２１ｃにガイドされ、各調整部材２４によって係合片４４と収納部１５との間の略垂直方向のクリアランスを調整することができ、ベースユニット６の収納部１５に対する略垂直方向の傾きを調整することができるので、光ディスク４が収納凹部１２に摺ることを防止することができる。
【０１２０】
更に、本発明は、ベースユニット６の係合片４４の少なくとも３箇所が独立して調整可能なため、各係合片４４毎に係合片４４と収納部１５との間の略垂直方向のクリアランスを調整することができるので、ディスクトレイ５に対して、ベースユニット６のスキュー調整も可能になる。
【０１２１】
以上、ディスクトレイ５を用いて光ディスク４の搬送を行うディスクドライブ装置１，９０について説明したが、本発明は、例えば、ディスクトレイ５を用いらずにローラ部材等を用いて自動的に光ディスク４の搬送を行う、いわゆる、スロットインタイプ等のディスクドライブ装置であってもよい。
【０１２２】
そこで、次に、スロットインタイプのディスクドライブ装置のボトムケースにベースユニット６が取り付けられるディスクドライブ装置１００について説明する。以下、ディスクドライブ装置１００は、上述したディスクドライブ装置１と同様の構成を有する部材については、同じ符号を付して説明を省略する。
【０１２３】
ディスクドライブ装置１００は、図１７に示すように、ドライブベイに搭載される外筐体となり、取付板となるボトムケース１０１と、このボトムケース１０１の内外に亘って光ディスク４を搬送し、光ディスク４と対向する対向部材となるローラ搬送機構１０２と、このローラ搬送機構１０２によってボトムケース１０１の内部に搬送された光ディスク４が装着され、装着された光ディスク４に対して情報信号の再生を行うベースユニット６とを備える。
【０１２４】
ドライブベイに搭載される外筐体となるボトムケース１０１は、上面が開放された略矩形箱状をなし、例えば、金属板から打ち抜き成形され、穴開け等の加工が施されて形成される。また、ボトムケース１０１には、ボトムケース１０１の内外に亘って光ディスク４を搬送するローラ搬送機構１０２が回動軸１０１ａを中心に回動自在に支持されている。
【０１２５】
ボトムケース１０１の内外に亘って光ディスク４を搬送するローラ搬送機構１０２は、ボトムケース１０１の回動軸１０１ａを中心に回動自在に支持されているローラアーム１０３と、このローラアーム１０３の回転軸１０３ａを中心に回転自在に支持されている搬送ローラ１０４とを有する。
【０１２６】
ボトムケース１０１の回動軸１０１ａを中心に回動自在に支持されているローラアーム１０３は、自由端側に、光ディスク４の挿脱方向と直交する方向で光ディスク４の面内方向に亘って回転軸１０３ａを中心に回転自在に搬送ローラ１０４を支持している。そして、ローラアーム１０３は、光ディスク４がディスクテーブル３１に装着されていないとき、搬送ローラ１０４が光ディスク４の搬送領域上に臨まされており、光ディスク４がボトムケース１０１内に搬送されると、ローラアーム１０３が回動軸１０１ａを中心に図１７中の矢印Ｄ１方向に回動されて光ディスク４の搬送領域から退避され、光ディスク４がボトムケース１０１外に搬送されると、搬送ローラ１０４が回動軸１０１ａを中心に図１７中の矢印Ｅ１方向に回動されて光ディスク４の搬送領域上に臨まされる。
【０１２７】
ローラアーム１０３の回転軸１０３ａを中心に回転自在に支持されている搬送ローラ１０４は、図示しない駆動部によって正転あるいは逆転駆動され、光ディスク４を介して対向位置に設けられている対向ローラ１０５とで、挟み込んで回転して光ディスク４をボトムケース１０１の内外に亘って搬送する。
【０１２８】
ここで、ベースユニット６については、上述したディスクドライブ装置１のものと同様の構成を有するため、説明を省略する。
【０１２９】
ベースユニット６を、ボトムケース１０１に取り付ける際に、ベースユニット６のローラ搬送機構１０２に対する略垂直方向の傾きを調整する調整部材２４は、図１８に示すように、ボトムケース１０１に形成された各取付突起１０６に挿通されるホルダ２１と、ホルダ２１とでベースシャーシ３０の係合片４４を挟んで結合される支持板２２とを有する。
【０１３０】
先ず、ホルダ２１が挿通される取付突起１０６について説明する。各取付突起１０６は、ボトムケース１０１に複数形成されている。具体的に、各取付突起１０６は、ベースユニット６を安定して支持し、ベースユニット６のローラ搬送機構１０２に対する如何なる傾きにも対応できるように、略等間隔に３個形成されている。更に、各取付突起１０６には、調整突起２０ａ、突出部２０ｂ及び目印部２０ｄ等が形成されているが、上述したディスクドライブ装置１のものと同様の構成を有するため、説明を省略する。また、ホルダ２１及び支持板２２は、上述したディスクドライブ装置１のものと同様の構成を有するため、説明を省略する。
【０１３１】
ここで、調整部材２４を用いてベースユニット６をボトムケース１０１に取り付ける取付方法について説明する。先ず、ホルダ２１は、目印切欠部２１ｆと取付突起１０６の周囲に形成された目印部２０ｄとを一致されるようにしてボトムケース１０１に形成された取付突起１０６に挿通される。そして、ホルダ２１は、基準目印切欠部２１ｇと取付突起１０６の周囲に形成された目印部２０ｄとが一致され、突出部２０ｂと係合溝２１ｄとか係合されてクリック感が付与されるまで取付突起１０６を中心に平面視右方向に回転されることで、調整突起２０ａが調整溝２１ｃにガイドされ、２段目の溝に係合される。そして、ベースシャーシ３０の各係合片４４には、インシュレータ２３が係合されて取り付けられる。そして、インシュレータ２３が係合された係合片４４の内側には、ホルダ２１が係合された取付突起１０６が挿通される。そして、支持板２２は、ホルダ２１の軸部２１ａの外周面に挿入される。そして、ベースシャーシ３０は、支持板２２の係合凹部２２ａがホルダ２１の係合爪２１ｅと結合されることで、ホルダ２１と支持板２２とに挟持される。
【０１３２】
次に、かくして、調整部材２４を用いてベースユニット６をボトムケース１０１に取り付け、ディスクドライブ装置１００が組み立てられると、次いで、光ディスク４とローラ搬送機構１０２との摺れが発生していないか検査が行われる。
【０１３３】
先ず、ディスクドライブ装置１００は、回路基板７のコネクタ等に検査装置が接続され、ディスクテーブル３１や光ピックアップ装置３２が駆動可能とされる。
【０１３４】
そして、ディスクドライブ装置１００は、図１７に示すように、例えば、検査用の光ディスク４が図示しない挿脱口から挿入されてローラ搬送機構１０２によって内部に搬送され、搬送ローラ１０４が光ディスク４の搬送領域から退避された状態で、ディスクテーブル３１と対向する位置に設けられている金属からなるディスク押さえ板１０７がディスクテーブル３１に磁気吸引されて、光ディスク４がディスクテーブル３１とディスク押さえ板１０７とに装着され、検査装置によりスピンドルモータが駆動され、光ディスク４がディスクテーブル３１とディスク押さえ板１０７と一体的に回転される。
【０１３５】
このディスクドライブ装置１００は、光ピックアップ装置３２によって、ディスクテーブル３１とディスク押さえ板１０７とで回転されている光ディスク４に対して光源から出射された光ビームを対物レンズ４６で集光して照射し、光ディスク４で反射された戻りの光ビームを光検出器で検出して、光ピックアップ装置３２からの出力信号を用いて検査装置で面ぶれ等を検出することにより、又は、目視検査等により、光ディスク４とローラ搬送機構１０２との摺れの有無、場所、程度等が特定される。
【０１３６】
また、ディスクドライブ装置１００は、光ディスク４とローラ搬送機構１０２との摺れが発生していることが確認されると、検査装置により、上述したディスクドライブ装置１と同様に調整量が特定される。
【０１３７】
そして、調整者は、上述した検査装置等による特定されたベースユニット６の各係合片４４のローラ搬送機構１０２に対する略垂直方向の調整量に応じて、ボトムケース１０１の上面開口より、係合片４４に係合された調整部材２４の支持板２２の各操作孔２２ｂに、金属棒等の治具を挿入する。そして、調整者は、ベースユニット６の各係合片４４のローラ搬送機構１０２に対する略垂直方向の調整量に応じて、係合片４４に係合された調整部材２４を所定回転方向に所定量回転させることで、光ディスク４とローラ搬送機構１０２との間の略垂直方向のクリアランスを調整する。
【０１３８】
ここで、調整者は、係合片４４とローラ搬送機構１０２との間の略垂直方向のクリアランスを現状より大きく設ける場合、係合片４４に係合された調整部材２４を、取付突起１０６の調整突起２０ａがホルダ２１の係合溝２１ｄに係合されてクリック感が付与されるまで取付突起１０６を中心に平面視左方向に回転させることで、調整溝２１ｃによって調整突起２０ａが１段目の溝にガイドされ、調整部材２４が現状よりボトムケース１０１から離れ、係合片４４とローラ搬送機構１０２との間の略垂直方向のクリアランスを大きく調整することができる。
【０１３９】
一方、調整者は、係合片４４とローラ搬送機構１０２との間の略垂直方向のクリアランスを現状より小さく設ける場合、係合片４４に係合された調整部材２４を、クリック感が付与されるまで取付突起１０６を中心に平面視右方向に回転させることで、調整溝２１ｃによって調整突起２０ａが３段目の溝にガイドされ、調整部材２４が現状よりボトムケース１０１に近づき、係合片４４とボトムケース１０１との間の略垂直方向のクリアランスを小さく調整することができる。
【０１４０】
そして、光ディスク４がローラ搬送機構１０２に摺らないように調整されたディスクドライブ装置１００は、再び光ディスク４とローラ搬送機構１０２との摺れの有無を確認する検査が行われ、光ディスク４とローラ搬送機構１０２との摺れが確認されない場合、ノート型のパーソナルコンピュータ等の電子機器２のドライブベイに搭載される。
【０１４１】
以上のように構成された本発明は、ベースユニット６の周縁部に形成された複数の係合片４４に、ホルダ２１が既に係合されているボトムケース１０１に形成された取付突起１０６が挿通され、ホルダ２１と支持板２２とで係合片４４が挟むように結合されることで、ベースユニット６がボトムケース１０１に取り付けられ、取り付けられた後、各ホルダ２１が取付突起１０６を中心に所定量回転されることで、調整突起２０ａが高さの異なる調整溝２１ｃにガイドされ、各調整部材２４によって係合片４４とローラ搬送機構１０２との間の略垂直方向のクリアランスを調整することができ、ベースユニット６のローラ搬送機構１０２に対する略垂直方向の傾きを調整することができるので、光ディスク４がローラ搬送機構１０２に摺ることを防止することができる。
【０１４２】
また、本発明は、係合片４４に取り付けられた調整部材２４の各ホルダ２１が取付突起１０６を中心に所定量回転されることで、調整突起２０ａが高さの異なる調整溝２１ｃにガイドされ、各調整部材２４によって係合片４４とローラ搬送機構１０２との間の略垂直方向のクリアランスを調整することができ、ベースユニット６のローラ搬送機構１０２に対する略垂直方向の傾きを調整することができるので、ディスクドライブ装置１００を組立完成後に分解することなく、ベースユニット６の収納部１５に対する略垂直方向の傾きを調整することができるので、光ディスク４がローラ搬送機構１０２に摺ることを防止することができる。
【０１４３】
なお、以上、ローラ搬送機構１０２を対向部材としてベースユニット６の略垂直方向の傾きを調整する説明をしたが、本発明は、これに限定されるものではなく、光ディスク４がボトムケース１０１内に搬送され、ディスクテーブル３１によって回転されているときに、光ディスク４と対向する対向部材であれば、如何なるものでもよい。例えば、対向部材としては、光ディスク４をボトムケース１０１内に搬送するアーム部材からなるアーム搬送機構や、ローラ搬送機構１０２、アーム搬送機構、その他の機構や装置等で用いられるスライド部材や回動部材等、又は、スライド部材や回動部材等を駆動させる駆動モータや、この駆動モータの力をスライダ部材や回動部材等に伝達させるギア等でもよい。
【０１４４】
なお、以上、ノート型のパーソナルコンピュータに搭載されるディスクドライブ装置１，９０，１００について説明をしたが、本発明は、これに限定されるものではなく、このディスクドライブ装置１，９０，１００は、携帯型のディスクプレーヤや、据え置き型のディスクプレーヤや、記録媒体として光ディスクを用いるカムコーダやプリンタ等の電子機器に搭載することができる。また、本発明は、電子機器に対して、固定されるものであってもよく、ドライブベイに対して着脱可能なものでもよい。
【図面の簡単な説明】
【０１４５】
【図１】本発明に係るディスクドライブ装置が搭載されたノート型パーソナルコンピュータを示す斜視図である。
【図２】本発明に係るディスクドライブ装置を示す分解斜視図である。
【図３】ディスクトレイを示す斜視図である。
【図４】ディスクトレイを示す底面図である。
【図５】本発明に係るベースユニットを示す平面図である。
【図６】本発明に係る調整部材を示す裏面視分解斜視図である。
【図７】本発明に係る調整部材を示す裏面視一部断面側面図である。
【図８】調整突起に調整ホルダ部材が挿入される状態を示した裏面斜視図である。
【図９】調整突起に調整ホルダ部材が挿入された状態を示した裏面斜視図である。
【図１０】ベースシャーシにインシュレータが係合された状態を示した裏面斜視図である。
【図１１】インシュレータが係合された係合片に調整ホルダ部材が係合された取付突起を挿通する状態を示した裏面斜視図である。
【図１２】調整ホルダ部材と支持板とでベースシャーシを挟持した状態を示した裏面斜視図である。
【図１３】支持板の回転孔が調整孔から外部に臨むようにボトムカバー部材を取り付けた状態を示した裏面斜視図である。
【図１４】調整部材の他の実施例を示した裏面斜視図である。
【図１５】調整部材の他の実施例を示した裏面断面斜視図である。
【図１６】本発明に係る調整部材を示す分解斜視図である。
【図１７】本発明に係る他のディスクドライブ装置を示す一部断面側面図である。
【図１８】本発明に係る調整部材を示す分解斜視図である。
【符号の説明】
【０１４６】
１  ディスクドライブ装置、２  電子機器、３  装置本体、３ａ  背面壁、３ｂ  側壁、３ｃ  側壁、４  光ディスク、５  ディスクトレイ、５ａ  前面、５ｂ  主面、５ｃ  裏面、５ｄ  背面、６  ベースユニット、７  回路基板、８  ガイドレール、９  ガイド部材、１０  ストッパ片、１１ＦＰＣ、１２  収納凹部、１３  開口部、１４  収納壁、１５  収納部、１６  保持機構、１７  ガイド突条部、２０  取付突起  ２０ａ  調整突起、２０ｂ  突出部、２０ｃ  カバー固定孔、２０ｄ  目印部、２１  ホルダ、２１ａ  軸部、２１ｂ  フランジ部、２１ｃ  調整溝、２１ｄ  係合溝、２１ｅ  係合爪、２１ｆ  目印切欠部、２１ｇ  基準目印切欠部、２１ｈ  挿通孔、２１ｉ  挿通溝、２２  支持板、２２ａ  軸部、２２ｂ  フランジ部、２２ｃ  係合凹部、２２ｄ  操作孔、２３  インシュレータ、２４  調整部材、３０  ベースシャーシ、３１  ディスクテーブル、３２  光ピックアップ装置、３３  ピックアップ搬送機構、３４  ガイド軸、３５  ガイド軸、４１  開口部、４２  切欠部、４３  モータ用開口部、４４  係合片、４５  ピックアップベース、４６  対物レンズ、４７  挿通孔、４８  係合片、４９  ハウジング、５０  ラック部材、６０  リードスクリュ、６１  モータ、７０  表面カバー、７１  裏面カバー、７１ａ  ビス孔、７１ｂ  調整孔、７２  ビス、７３  開口部、７３ａ  矩形開口部、７３ｂ  円形開口部、８０  取付突起、８０ａ  フランジ部、８０ｂ  調整段差、８１  調整部材、８１ａ  軸部、８１ｂ  フランジ部、８１ｃ  調整突部、８１ｄ  付勢溝、８１ｅ  操作孔、８１ｆ  挿通孔、８２  弾性部材、９０  裏面カバー、９１  取付突起、１０１  ボトムケース、１０２  ローラ搬送機構、１０３  ローラアーム、１０４  搬送ローラ、１０５  対向ローラ、１０６  取付突起、１０７  ディスク押さえ板
【図１】
2008130131.tif 000003
【図２】
2008130131.tif 000004
【図３】
2008130131.tif 000005
【図４】
2008130131.tif 000006
【図５】
2008130131.tif 000007
【図６】
2008130131.tif 000008
【図７】
2008130131.tif 000009
【図８】
2008130131.tif 000010
【図９】
2008130131.tif 000011
【図１０】
2008130131.tif 000012
【図１１】
2008130131.tif 000013
【図１２】
2008130131.tif 000014
【図１３】
2008130131.tif 000015
【図１４】
2008130131.tif 000016
【図１５】
2008130131.tif 000017
【図１６】
2008130131.tif 000018
【図１７】
2008130131.tif 000019
【図１８】
2008130131.tif 000020